(57)【要約】【課題】  限られたダイナミックレンジの中でコントラスト感の高い画像を表示可能な画像表示装置を提供する。【解決手段】  表示画像に対して、画像データに基づいて予め決められた色の色領域の大きさを検出する手段を備え、該色領域の大きさに応じて前記色領域の画像データを変換する手段を有する。【選択図】  図４
2006221148.tif 000002
【特許請求の範囲】
【請求項１】
画像データに基づいて画像を表示する画像表示装置であって、
該画像データに基づいて、予め決められた色の領域の大きさを検出する手段と、
該領域の大きさに応じて前記色領域の画像データを変換する手段と、
を有することを特徴とする画像表示装置。
【請求項２】
前記予め決められた色の色領域が白領域である請求項１記載の画像表示装置。
【請求項３】
前記画像データを変換する手段は、階調特性を制御する手段であることを特徴とする請求項１に記載の画像表示装置。
【請求項４】
前記白領域の大きさを検出する手段は、前記画像データが白ピークである画素が連続する画素数をカウントする手段であることを特徴とする請求項２に記載の画像表示装置。
【請求項５】
更に、ホワイトバランス制御手段を備え、前記白領域の大きさに応じて、ホワイトバランスを変化させることを特徴とする請求項２に記載の画像表示装置。
【請求項６】
前記ホワイトバランスの変化に応じて、周辺画素に色を拡散する色拡散手段を備えることを特徴とする請求項５記載の画像表示装置。
【請求項７】
前記色拡散手段は、前記ホワイトバランスの変化に応じた画素値の変化分だけ周辺画素の画素値を変化させる請求項６に記載の画像表示装置。
【請求項８】
画像表示装置であって、
表示素子と、
表示されるべき画像における予め決められた色の領域の大きさに応じた信号処理をする回路と、
を有することを特徴とする画像表示装置。
【請求項９】
画像表示装置であって、
表示素子と、
信号処理回路と、を有しており、
（Ａ）第１の色及び第１の明るさの領域であって、第１の方向の幅が第１の値である第１の領域を有する第１の画像を指定する第１の画像信号に基づく画像表示を行う少なくとも１つの場合と、（Ｂ）該第１の画像とは画像全体の平均輝度が同一である画像であって、前記第１の色と同じ色及び前記第１の明るさの領域であり、かつ、前記第１の方向の幅が前記第１の値よりも大きい第２の領域を有する第２の画像を指定する第２の画像信号に基づく画像表示を行う少なくとも一つの場合に、この信号処理回路での信号処理によって、前記第１の画像信号に基づいて表示される画像における前記第１の領域の明るさが、前記第２の画像信号に基づいて表示される画像における第２の領域の明るさよりも相対的に大きくすることを特徴とする画像表示装置。
【請求項１０】
前記信号処理回路は、
前記第１の方向に前記第１の色の画素が連続する数に応じた制御値に基づいて画像データを変換する変換回路を有する請求項９に記載の画像表示装置。
【請求項１１】
画像データに基づいて画像を表示する画像表示装置の制御方法であって、
該画像データに基づいて、予め決められた色の色領域の大きさを検出するステップと、
該色領域の大きさに応じて前記色領域の画像データを変換するステップと、を有することを特徴とする画像表示装置の制御方法。
【発明の詳細な説明】
【技術分野】
【０００１】
本発明は、表示画像の画質を改善した画像表示装置に関する。
【背景技術】
【０００２】
従来、限られたダイナミックレンジの中でコントラスト比の高い画像を表示するには以下の技術があった。
【０００３】
全画面を複数の領域に分割し、当該領域の映像信号の輝度値の分布に基づいて、他の領域の映像信号とは独立に拡張してガンマ補正するもの（例えば、特許文献１参照）、及びＣＲＴの様な白ピーク特性を実現するために、平均輝度レベルに応じてダイナミックレンジを変えるものである（例えば、特許文献２参照）。
【特許文献１】特開２００４−０４８１８５号公報
【特許文献２】特開２００２−３３３８５８号公報
【発明の開示】
【発明が解決しようとする課題】
【０００４】
本願発明は、好適な表示を行うことができる画像表示装置もしくは画像表示装置の製造方法を実現することを課題とする。本願発明の後述する実施形態例では、コントラスト感の向上、特に具体的には特定の色領域の輝き感の向上を実現できる構成例を示している。
【０００５】
本願発明の後述する実施形態例の構成で解決できる具体的な課題例として以下を挙げることができる。
【０００６】
例えば、以上に述べた従来の方法において、
画面内の領域を分割して当該領域の映像信号の輝度値の分布に基づいて他の領域の映像信号とは独立に拡張してガンマ補正する方法では、画面全体で一括してガンマを補正する場合に比べると改善されているが、未だに分割された領域内では、複数の白ピークの１つにゲインが押さえ込まれてしまうため、コントラスト感の不足した部分が発生するという問題がある。
【０００７】
また、平均輝度レベルでダイナミックレンジを変える方法では、白ピークの面積や幅等に因らず、ゲインが決定されてしまうため、複数の白ピーク部分での白の輝き感が十分に表現されないという問題がある。
【課題を解決するための手段】
【０００８】
本願に係わる発明の一つは以下のように構成される。すなわち、
画像データに基づいて画像を表示する画像表示装置において、該画像データに基づいて、予め決められた色の色領域の大きさを検出する手段を備え、前記色領域の大きさに応じて前記色領域の画像データを変換する手段を有することを特徴としたものである。
【０００９】
また他の発明の一つは以下のように構成される。
【００１０】
画像表示装置であって、
表示素子と、
表示されるべき画像における予め決められた色の領域の大きさに応じた信号処理をする回路を有する画像表示装置。
【００１１】
なお色の領域の大きさとは該領域の面積に限るものではなく、所定方向の大きさ（幅）も含む。また領域の大きさに応じた処理としては、領域の大きさに応じて処理量（補正量）を異ならせる構成に限るものではない。例えば所定の大きさの場合には特定の処理を行うが、他の大きさの場合には該特定の処理を行わない、という構成を含むものである。
【００１２】
また他の発明の一つは以下のように構成される。
【００１３】
画像表示装置であって、
表示素子と、
信号処理回路と、を有しており、
（Ａ）第１の色及び第１の明るさの領域であって、第１の方向の幅が第１の値である第１の領域を有する第１の画像を指定する第１の画像信号に基づく画像表示を行う少なくとも１つの場合と、（Ｂ）該第１の画像とは画像全体の平均輝度が同一である画像であって、前記第１の色と同じ色及び前記第１の明るさの領域であり、かつ、前記第１の方向の幅が前記第１の値よりも大きい第２の領域を有する第２の画像を指定する第２の画像信号に基づく画像表示を行う少なくとも一つの場合に、この信号処理回路での信号処理によって、前記第１の画像信号に基づいて表示される画像における前記第１の領域の明るさが、前記第２の画像信号に基づいて表示される画像における第２の領域の明るさよりも相対的に大きくすることを特徴とする画像表示装置。
【００１４】
ここで、前記信号処理回路は、
前記第１の方向に前記第１の色の画素が連続する数に応じた制御値に基づいて画像データを変換する変換回路を有する構成を好適に採用できる。
【発明の効果】
【００１５】
本発明によれば、ＣＲＴ、ＬＣＤ、ＰＤＰ等の表示装置において、コントラスト感や輝き感を向上させることができる。
【発明を実施するための最良の形態】
【００１６】
（第１の実施形態）
図１は、本発明の背面投射型表示装置２００の側面図である。
【００１７】
投射型表示エンジンＤ１から投射された画像を反射ミラー２０１にて反射し、スクリーン６の背面から投射する。スクリーン６の前面には、デジタイザ装置２０２が取り付けられており、スクリーン６前面より、デジタイザ用ペン２０３にて入力した位置座標を表示装置２００に入力する。デジタイザ装置としては、光学式や感圧式、または超音波式等のデジタイザ装置を用いることができる。
【００１８】
明るさ調整ＳＷ２０４は、表示画面の明るさを指示するためのＳＷである。
【００１９】
図２の投射型表示エンジンＤ１は、光変調素子（表示素子）として、Ｒ、Ｇ、Ｂ各色表示対応の３枚の液晶パネル２Ｒ，２Ｇ，２Ｂを用い、これら３枚の液晶パネル２Ｒ，２Ｇ，２Ｂはクロスプリズム７の各面に各々対向する位置に配置した。液晶パネル２Ｒ，２Ｇ，２Ｂとしては、ＴＦＴを用いて駆動するアクティブマトリクス型のＴＮ（ｔｗｉｓｔｅｄ  ｎｅｍａｔｉｃ）型液晶パネルや、高速動作が可能なアクティブマトリクス型の強誘電性液晶パネル、ＯＣＢ（ｏｐｔｉｃａｌｌｙ  ｃｏｍｐｅｎｓａｔｅｄ  ｂｅｎｄ）液晶パネル等を用いることができる。また、各液晶パネル２Ｒ，２Ｇ，２Ｂを挟み込むように、その両側には偏光板８をそれぞれ配置し、クロスプリズム７の光出射側には投射レンズ９やスクリーン（被投射部材）６を配置した。
【００２０】
一方、ランプ（光源）１を囲むように放物型のリフレクタ１０を配置し、ランプ１からの出射光が平行光束に変換されるようにした。なお、このリフレクタ１０は放物型でなくても、楕円型とし集光光束へ変換するようにしても良い。また、ランプ１には、メタルハライドランプやキセノンランプなどを用いることができる。
【００２１】
また、はえの目インテグレータ４０，４１は、ランプ１から出射された光の光路上に配置し、液晶パネル２Ｒ，２Ｇ，２Ｂと共役な関係となるように配置し、光源の不均一性を改善した。
【００２２】
そして、はえの目インテグレータ４０，４１の光出射側には、順に、リレーレンズ１１やミラー１２を配置した。さらに、２枚のダイクロミラー１３，１４を配置して、ランプ１からの出射光を３つに分岐させ、リレーレンズ１５やミラー１６，１７，１８を配置して各液晶パネル２Ｒ，２Ｇ，２Ｂに導くようにした。なお、符号１９はフィールドレンズを示す。
【００２３】
次に、本実施形態の投射型表示エンジンにおける電気信号の処理について説明する。図３は、本発明に係る実施例のブロック図である。
【００２４】
ＰＣ（パーソナルコンピュータ）３００から出力される映像信号及び放送波から復調されたテレビ信号はそれぞれＰＣ入力５０、ＮＴＳＣ入力５１を介して映像信号処理手段３に入力され、スイッチ３０により何れかの信号が選択される。選択された画像信号は、Ａ／Ｄコンバータ３１、ＤＳＰ３２及び解像度変換部１０１を通してピーク補正部１０３に送信される。メモリ３３は、現状の画像データと次のフレームの画像データを保持する。ピーク補正された画像データはＤ／Ａコンバータ３５によりアナログ信号に変換されてパネルドライバ３６に入力され、パネルドライバ３６は、画像データに基づいた駆動信号を液晶パネル２Ｒ、２Ｇ、２Ｂにそれぞれ印加する。
【００２５】
ＤＳＰ部３２では、コントラスト、ブライト調整や色変換等の表示画像処理が行われる。
【００２６】
ここで、本ブロック図には、アナログ入力信号のみ記載されているが、それに限らず、ＬＶＤＳ、ＴＭＤＳ等の入力端子や、デジタルＴＶ用Ｄ４端子等を設けても有効であることは言うまでもない。
【００２７】
信号処理回路５２は、ＮＴＳＣ信号のデコード、ノイズ低減処理、帯域制限フィルタリングおよび信号レベル調節等の信号処理を行う。
【００２８】
バラスト５７は、ランプ１に接続されるランプ用の電源である。システム電源５８は、ＡＣインレット６０からシステム全体へ電力を供給する電源である。リモコン６１は、本表示装置の種々の操作を行い、制御パネル６２は、そのリモコンの信号を受信する。
【００２９】
明るさ調整ＳＷ検出部１０９は、明るさ調整ＳＷ２０４の動作を検出する。デジタイザ検出部１１８は、デジタイザ２０２において指示された座標を検出する。
【００３０】
ＣＰＵ６３は、上述した映像信号入力手段３や制御パネル６２やバラスト５７や明るさ調整ＳＷ検出部１０９やデジタイザ検出部１１８やＵＳＢ  Ｉ／Ｆ１０７等に接続されており、液晶パネル８，９，１０やランプ１等の駆動制御や表示画像の拡大・縮小や移動を行う。
【００３１】
本実施例では、明るさ調整ＳＷ検出部１０９、デジタイザ検出部１１８、ＵＳＢ  Ｉ／Ｆ１０７等はＣＰＵ６３に接続されるものとして説明したが、ＣＰＵに内蔵したり、プログラムにより実行するように構成してもよい。
【００３２】
ＰＣ３００は、ＣＰＵ３０１、ＨＤ（ハードディスク）３０２、ＲＡＭ３０３、ＲＯＭ３０４、ビデオメモリ３０５、グラフィックコントローラ３０６、マウスＩ／Ｆ３０７、ＵＳＢ  Ｉ／Ｆ３０８、等からなり、映像出力端子３０９、ＵＳＢ入力端子３１０、マウス入力端子３１１を備えている。マウス３１２は、マウス入力端子３１１に接続されている。
【００３３】
次に、図５および図６を用いて、本実施形態による白ピーク補正の原理について説明する。
【００３４】
図６（１−Ａ）〜（３−Ｂ）は、従来のダイナミックレンジ改善補正の一例で、（１−Ａ）、（２−Ａ）、（３−Ａ）は補正前の表示例であり、（１−Ｂ）、（２−Ｂ）、（３−Ｂ）は各々に対応した補正後の表示例である。縦軸は表示輝度を示しており、横軸は水平方向の位置を示している。破線は、各々の表示例の平均輝度レベル（ＡＰＬ）を示している。図６の従来例のように、平均輝度のみに応じて、表示のダイナミックレンジを変更する処理を行う場合には、（１−Ａ）のように、平均輝度レベルが低い場合は、（１−Ｂ）のように白ピークのゲインを大きくすることによりコントラストの改善が可能となる。また、（２−Ａ）のように、平均輝度レベルが高い場合は、ゲインが変わらず、白領域の大きさに応じたコントラストの改善が可能となる。しかしながら、（３−Ａ）の場合は、（２−Ａ）と平均輝度が等しいため、領域の狭い白ピークであるにもかかわらず、コントラストが改善されない。
【００３５】
それに対して、本発明では、白領域の大きさを検出する手段を持ち、白領域の大きさに応じて階調特性を変えるものである。
【００３６】
図５（１−Ａ）〜（３−Ｂ）は、本発明のダイナミックレンジ改善補正の一例であり、（１−Ａ）、（２−Ａ）、（３−Ａ）は補正前の表示例であり、（１−Ｂ）、（２−Ｂ）、（３−Ｂ）は各々に対応した補正後の表示例である。（１−Ａ）や（３−Ａ）のように、白領域が狭い場合には、平均輝度レベル（ＡＰＬ）にかかわらず、白ピークのゲインを上げる処理を施し、また、（２−Ａ）のように、白領域が広い場合は、従来例と同様に、ゲインを変えない処理とする。
【００３７】
図４は、ピーク補正部１０３の詳細を示すブロック図である。
【００３８】
ピーク検出部４０１では、白ピークを閾値と白の面積から検出する。閾値は表示する画像データのヒストグラムまたは平均輝度から決定する。
【００３９】
ピーク補正制御部４０２は、ピーク検出部４０１で検出した白部の大きさに応じて、階調制御部４０３、ホワイトバランス制御部４０４を制御する。
【００４０】
階調制御部４０３は、ピーク検出部４０１にて白ピークと判断された白ピーク部の画像データを白ピークの大きさに応じて大きくするように画像データを変換する。
【００４１】
既に輝度が最大値に達している場合は、ホワイトバランス制御部４０４にて、ホワイトバランスを変えることにより表示輝度を更に高くする。色拡散部４０５では、ホワイトバランス制御部４０４にて所定のホワイトバランスから変更した場合に、所定のホワイトバランスがずれたずれた分の色を周辺領域へ拡散する。
【００４２】
Ｖ−Ｔ補正部４０６では、液晶パネルの特性に応じてＶ−Ｔカーブの補正を行う。
【００４３】
以下、詳細に説明する。
【００４４】
ピーク検出部４０１では、入力した各画素の映像信号のＲ、Ｇ、Ｂの各信号の比を検出し、無彩色であるかを検出する。本例では、Ｒ、Ｇ、Ｂの各信号の比が５％以内（一つの画素を形成するためのＲ、Ｇ、Ｂの各信号のうち、最大の値を有する信号と最小の値を有する信号の値の差が前記最大の値の５パーセント以内）の信号によって形成される画素を無彩色の画素として扱う。次に、無彩色と決定した画素の信号が、白ピーク処理を行う対象となるか否かを決定する。ここで、入力映像信号の平均輝度レベル（ＡＰＬ）と比較し、ＡＰＬより大きいものを白ピーク処理の対象画素とする。すなわち、前記無彩色の画素のうち、画素の輝度がＡＰＬよりも高い画素を所定の色（この実施形態では白）の画素として扱う。次に白ピーク対象画素が連続する画素数をカウントし、白領域の大きさを表すそのカウント値に応じて、白ピーク処理を制御する。
【００４５】
本例では、白ピーク対象画素のカウント数Ｋｗが２０画素以下の場合に白ピーク処理を行う。この白ピーク処理のための演算は、Ｋｗが１の時に白を１０％ＵＰし、Ｋｗが２１の時には１倍とすると、以下のようになる。
Ｒｏｕｔ＝｛１＋ｆ（Ｋｗ）｝・Ｒｉｎ
Ｇｏｕｔ＝｛１＋ｆ（Ｋｗ）｝・Ｇｉｎ
Ｂｏｕｔ＝｛１＋ｆ（Ｋｗ）｝・Ｂｉｎ
ここで、
ｆ（Ｋｗ）＝（２０−（Ｋｗ−１））／２００
であり、｛１＋ｆ（Ｋｗ）｝はゲインを表す。
【００４６】
本例では、白ピーク対象画素のカウント数Ｋｗが２０画素以下の場合に、白ピーク増加量がリニアに変化するように設定したが、上記関数ｆ（Ｋｗ）を表示デバイスの特性や表示する映像シーンに応じて変えることで、表示デバイスや映像シーンに最適な白ピーク補正を行うことが可能となる。なおここではピーク処理を行うか否かのしきい値として２０画素を採用しているが、この値は適宜設定可能である。好適には、所定方向（ここでは水平方向）の全画素数の５パーセント以下の値を採用するとよい。なおこの構成例では、上記白ピーク処理のための演算回路に対して、制御値としてＫｗを入力する。カウント値が２２以上のときには、上記白ピーク処理のための演算回路では上記補正処理は行わない。特にこの実施形態では、カウント値Ｋｗの大きさに応じて補正の程度を調整できるように構成している。ただし、カウント値が所定数以下（未満）である場合と、所定数よりも大きい（所定数以上）である場合のいずれか一方のみで制御値（例えば１もしくは０）を発生させ、該制御値の有無に応じて一様な補正を行うように構成することもできる。
【００４７】
本例では、水平方向の白をカウントし白ピーク補正を行う例について説明した。これによって、水平方向の白領域の大きさ（幅）に応じた補正を行うことができる。具体的には、ＡＰＬが同じ値になる第１の画像及び第２の画像を表示する場合について以下のような制御を行うことができる。ここでは第１の画像が、所定の輝度で表示されるべき白領域であって、水平方向の幅が所定幅（ここでは２０画素）以下の領域を有しており、第２の画像が、前記所定の輝度と同じ輝度で表示されるべき白領域であって、水平方向の幅所定幅よりも大きい領域を有している場合を例に挙げる。このとき実際に表示された画像においては、第１の画像の前記領域の輝度は、第２の画像の前記領域の輝度よりも明るくなるよう制御される。なお、ここで、一方が他方よりも明るくなるというのは相対的な関係である。すなわち、第２の画像の前記領域の輝度が暗くなるように制御を行なって、第１の画像の前記領域の輝度が相対的に見て明るく感じるように制御することもできる。
【００４８】
なお、ラインメモリを複数持ち、垂直方向の画素数をカウントすることにより垂直方向の白ピーク補正が可能となる。
【００４９】
また、水平方向の白ピーク画素カウント数と垂直方向の白ピーク画素カウント数を元に白領域の大きさを決定し、この２次元的に求められた白領域の大きさに基づいて白ピーク補正量を決定することにより、より効果的な白ピーク補正が可能となる。
【００５０】
次に、ホワイトバランス制御部４０４、色拡散部４０５の動作について説明する。
【００５１】
一般的に、表示装置ではホワイトバランスを変更できるものが多く、色温度の低い６５００度程度から色温度の高い９５００度程度までを変更できるものや、更に５００度毎にユーザ調整できるものなどがある。
【００５２】
色温度の調整は、ＲＧＢの各パネルに与える信号レベルのゲインを変えることにより行われる。
【００５３】
例えば、６５００°時に、Ｒ：Ｇ：Ｂ＝１：１：１である場合、９０００°にするためには色相を青よりにする必要があるため、ＲとＧのゲインを下げてＲ：Ｇ：Ｂ＝８：８：１０にする。
【００５４】
従って、ＲとＧのゲインを下げているため、ＲとＧを１００％出力した場合に比べて、輝度が低くなる。従って、ホワイトバランスを調整している場合は、表示装置が本来表示できる輝度よりも低く設定されている。
【００５５】
画素値が、（Ｒ，Ｇ，Ｂ）＝（１００，１００，１００）の時に最大輝度を出力できる表示装置がホワイトバランスを調整するために、ゲイン調整部において、（Ｒ，Ｇ，Ｂ）＝（８０，８０，１００）に調整されている。ここで、白ピーク時、ＲＧＢの各信号を１０％ＵＰとすると、（Ｒ，Ｇ，Ｂ）＝（８８，８８，１００）となり、Ｂの画素値は最大値であるため、輝度を上げることができない。従って、ホワイトバランスが設定値に比べてずれてしまう。
【００５６】
白ピークが微小領域であるときには、色のずれは知覚し難いが、白ピークが複数ある場合やホワイトバランスのずれ量が多い場合は、問題がある場合も発生する。
【００５７】
そこで、色拡散部４０５により、ホワイトバランスがずれた分の量を周辺の画素に拡散することにより、複数の画素領域でのホワイトバランスを合わせる。上記の例では、Ｒ画素値とＧ画素値が各々８ずれるため、上下左右の４画素から各々２づつ減算した値を表示することにより、複数の画素領域でのホワイトバランスを実質的に合わせる。
【００５８】
以上により、ホワイトバランスにより制限された輝度以上の明るさの白ピークを表現でき、より高画質な表示装置を提供可能となる。
【００５９】
（第２の実施形態）
実施例１では、白領域を検出して、白ピーク処理を行う例を示したが、本例では、予め決められた特定色のピーク処理を行い、メリハリのある画像を得るための方法について説明する。
【００６０】
投射型表示装置では、一般に光利用効率を重視し高圧水銀ランプを光源として使用することが多いが、高圧水銀ランプでは、ランプの分光特性から、赤領域の輝度が低くなる傾向がある。
【００６１】
そのため、従来は、例えば赤色分離用ダイクロイックミラー１４のフィルタのカット波長を広くし、透過する光の量を多くしていたが、赤の輝度は高くなるものの、赤の色度の純度が低くなり、色再現範囲が狭くなる。
【００６２】
本発明では、赤領域の大きさを検出し、その大きさに応じてピーク補正処理を行うことにより、従来の様に、赤色の色再現範囲を狭くすることなく、赤領域においてもメリハリのある画像を表示することが可能となる。
【００６３】
ここで、再び図３および図４を用いて、本実施例の赤色に対するピーク処理について説明する。第一の実施例とは、ピーク補正部１０３、ピーク検出部４０１、ピーク補正制御部４０２が、予め決められた色である赤色に対してピーク補正処理を行う点が異なる。
【００６４】
ピーク検出部４０１では、入力した映像信号のＲ、Ｇ、Ｂの各信号の比を検出し、赤色であるかを検出する。本例では、Ｒ信号に対してＧおよびＢの信号が５％以内の信号を赤色と決定している。次に、赤色と決定した信号に、ピーク処理を行うか否かを決定する。そのため、赤色のピーク処理対象画素が連続する画素数をカウントし、そのカウント値に応じて、ピーク処理を制御する。
【００６５】
本例では、赤色のピーク対象画素のカウント数Ｋｒが２０画素以下の場合にピーク処理を行う。Ｋｒが１の時に赤を１０％ＵＰし、Ｋｒが２１の時には１倍とすると、
Ｒｏｕｔ＝｛１＋ｆ（Ｋｒ）｝・Ｒｉｎ
Ｇｏｕｔ＝Ｇｉｎ
Ｂｏｕｔ＝Ｂｉｎ
ここで、
ｆ（Ｋｒ）＝（２０−（Ｋｒ−１））／２００
であり、｛１＋ｆ（Ｋｒ）｝はゲインを表す。
【００６６】
第１の実施例同様、本例では、赤色ピーク対象画素のカウント数Ｋｒが２０画素以下の場合に、赤色ピーク増加量がリニアに変化するように設定したが、式における関数ｆ（Ｋｒ）を表示デバイスの特性や表示する映像シーンに応じて変えることで、表示デバイスや映像シーンに最適な赤色ピーク補正を行うことが可能となる。
【００６７】
本例においても、赤色領域の大きさの決定方法、ホワイトバランス調整方法について第１の実施例と同様の方法が適用できる。
【００６８】
例えば、画素値が（Ｒ，Ｇ，Ｂ）＝（８０，０，０）の画像信号を、赤ピーク補正対象画像と判断し、Ｒ信号を１０％ＵＰとすると、（Ｒ，Ｇ，Ｂ）＝（８８，０，０）となり、ホワイトバランスによる制限値を超えてＲ信号を出力するようにホワイトバランス制御部４０４を調整する。
【００６９】
また、ホワイトバランスにより、（Ｒ，Ｇ，Ｂ）＝（１００，８０，８０）が最大値となるように調整されている場合に、Ｒ信号（Ｒ，Ｇ，Ｂ）＝（１００，０，０）が入力した場合は、Ｒの値が最大値であるため、Ｒの輝度を大きくすることができない。このように、Ｒ信号が最大値の場合は、ＧまたはＢ信号を大きくし、例えば、（Ｒ，Ｇ，Ｂ）＝（１００，５，５）のようにＧとＢの信号を５％大きくすることにより、赤色の輝度を大きくするピーク補正処理を行う。
【００７０】
これは、赤ピークが微小領域であるため、色のずれは知覚し難いという人間の知覚特性を利用したものである。
【００７１】
以上により、ホワイトバランスにより制限された輝度以上の明るさの赤色ピークを表現でき、よりメリハリのある高画質な表示装置を提供可能となる。
【００７２】
以上説明したように、本発明では、赤領域の大きさに応じて前記赤領域の画像データを変化させることにより、前述の課題である赤色の輝度の不足に起因する赤色のコントラスト感の不足や輝き感の不足も補正することが可能となり、更に高画質なメリハリのある表示が可能な表示装置を提供することが可能となった。
【００７３】
本実施例では、赤色に対してピーク処理を行う例について説明したが、他の色にも応用できることは言うまでもない。
【図面の簡単な説明】
【００７４】
【図１】本発明の第一の実施例による背面投射型表示装置
【図２】第一の実施例による投射型表示エンジン
【図３】第一の実施例による画像表示装置のブロック図
【図４】第一の実施例による白ピーク補正部を含む信号処理ブロック図
【図５】第一の実施例による白ピーク補正方法を説明するための説明図
【図６】従来の補正方法を説明するための説明図
【符号の説明】
【００７５】
Ｄ１  投射型表示エンジン
１  光源
２Ｒ、２Ｇ、２Ｂ  液晶表示素子
３６  パネルドライバ
３  映像信号処理手段
１０３  ピーク補正部
４０１  ピーク検出部
４０２  ピーク補正制御部
４０３  階調制御部
４０４  ホワイトバランス制御部
４０５  色拡散部
４０６  Ｖ−Ｔ補正部
【図１】
2006221148.tif 000003
【図２】
2006221148.tif 000004
【図３】
2006221148.tif 000005
【図４】
2006221148.tif 000006
【図５】
2006221148.tif 000007
【図６】
2006221148.tif 000008